(57)【要約】【課題】筒状連結部材と地山補強管のねじ結合が緩んで外れることを確実に防止し、地山補強の施工の確実性を高めることができる地山補強管の連結構造を提供する。【解決手段】地山補強管１０の少なくとも一方の端部に雄ねじ部１３が設けられ、地山補強管１０の長手方向の別の領域に形成される右ねじ部１３１と左ねじ部１３２とで雄ねじ部１３が構成され、カプラー２０に地山補強管１０の雄ねじ部１３に螺合する雌ねじ部２１が設けられ、雌ねじ部２１が右ねじと左ねじを重ねて形成された重ねねじ部２１１で構成される地山補強管の連結構造。【選択図】図２
2014163089.tif 000002
【特許請求の範囲】
【請求項１】
地山補強管の少なくとも一方の端部に雄ねじ部が設けられ、
前記地山補強管の長手方向の別の領域に形成される右ねじ部と左ねじ部とで前記雄ねじ部が構成され、
筒状連結部材に前記雄ねじ部に螺合する雌ねじ部が設けられ、
前記雌ねじ部が右ねじと左ねじを重ねて形成された重ねねじ部で構成される
ことを特徴とする地山補強管の連結構造。
【請求項２】
前記雄ねじ部の右ねじ部と左ねじ部が不連続に形成され、
前記雌ねじ部が、口元側に形成された重ねねじ部と、前記重ねねじ部の奥側に前記重ねねじ部と不連続に形成された右ねじ部、左ねじ部若しくは重ねねじ部とから構成される
ことを特徴とする請求項１記載の地山補強管の連結構造。
【請求項３】
前記筒状連結部材がカプラーであることを特徴とする請求項１又は２記載の地山補強管の連結構造。
【請求項４】
前記筒状連結部材が前記地山補強管と同一構成の別の地山補強管であることを特徴とする請求項１又は２記載の地山補強管の連結構造。
【請求項５】
地山補強管の端部に設けられ、長手方向の別の領域に形成される右ねじ部と左ねじ部とで構成される雄ねじ部に螺合されるカプラーであって、
前記雄ねじ部に螺合される雌ねじ部が、右ねじと左ねじを重ねて形成された重ねねじ部で構成されていることを特徴とするカプラー。
【請求項６】
両方の端部に、長手方向の別の領域に形成される右ねじ部と左ねじ部とで構成される雄ねじ部がそれぞれ設けられ、
右ねじと左ねじを重ねて形成された重ねねじ部で構成されるカプラーの雌ねじ部に、一方の端部の前記雄ねじ部を螺合して連結されることを特徴とする地山補強管。
【請求項７】
一方の端部に、長手方向の別の領域に形成される右ねじ部と左ねじ部とで構成される雄ねじ部が設けられ、
他方の端部に、右ねじと左ねじを重ねて形成された重ねねじ部で構成される雌ねじ部が設けられていることを特徴とする地山補強管。
【発明の詳細な説明】
【技術分野】
【０００１】
本発明は、補強すべき地山に継ぎ足すように連結して打設される地山補強管の連結構造、カプラー及び地山補強管に関する。
【背景技術】
【０００２】
従来、地山に地山補強管を打設する方式として二重管削孔方式が知られている。図１０の二重管削孔方式の例では、地山補強管１ａの先端にケーシングシュー２を介して削孔ビット３を回転可能に設けると共に、地山補強管１ａの内部に挿入される削孔ロッド４ａの先端に削孔ビット３を装着し、削孔ロッド４ａから削孔ビット３に打撃力Ｐと回転力Ｒを伝達して地山補強管１ａを地山に打設していく。そして、地山補強管１ａと削孔ロッド４ａには、地山補強管１ｂ、１ｃ等や削孔ロッド４ｂ、４ｃ等を順次次ぎ足すように連結し、連結した地山補強管１ａ〜１ｃ等が所要長さになるまで打設するようになっている。
【０００３】
この地山補強管の連結はねじ結合によってなされ、例えばトンネルの先受け工や鏡補強工では３ｍの地山補強管の４本程度をねじ結合しながら削孔打設していく。地山補強管相互のねじ結合は、図１０に示すように、ねじ継手であるカプラー５を用いて行われるか、或いは第１の地山補強管の一方の端部に形成される雄ねじ部と、第２の地山補強管の他方の端部に形成される雌ねじ部を直接螺合することにより行われ、後者についてはねじ結合箇所の強度確保を図る提案もなされている（特許文献１、２参照）。
【先行技術文献】
【特許文献】
【０００４】
【特許文献１】特開２００４−３３２２４２号公報
【特許文献２】特開２０１２−１８８８３７号公報
【発明の概要】
【発明が解決しようとする課題】
【０００５】
ところで、上記のような二重管削孔方式では、削孔の打撃力Ｐや回転力Ｒが削孔ビット３のみに伝達され、地山補強管１ａ〜１ｃ等が順次引き込まれる或いは押し込まれることが望ましいが、実際には、地山補強管１ａ〜１ｃ等に打撃力Ｐや回転力Ｒによる振動が伝達されてしまう。
【０００６】
この場合に、地山補強管のねじ部やカプラーのねじ部の強度を高めることは、打撃力Ｐの振動でねじ山が潰れることによるカプラーの離脱或いは地山補強管相互の螺合の離脱を防止することを可能にするものの、打撃力Ｐや回転力Ｒの振動によって、カプラーと地山補強管のねじ結合或いは地山補強管相互のねじ結合が次第に緩むことを防止することは難しい。
【０００７】
一般的にカプラー等のねじ部の締付方向は削孔ロッドの回転方向と対応させてあることから、回転力Ｒによる振動が伝達されてもカプラー等のねじ結合が緩むことは少ないが、地山の岩盤性状が不安定であればねじ結合が緩む方向に逆転する場合もあり、一旦ねじ結合が緩み始めると、打撃力Ｐや回転力Ｒによる振動によって勢い付いて緩んで外れてしまう。長尺の孔の中でねじ結合が外れると、ねじ結合が外れた地山補強管を抜いて打設し直すことはできず、引き込み方式でも押し込み方式でも地山補強管の打設を継続することは困難となる。
【０００８】
本発明は上記課題に鑑み提案するものであって、カプラーと地山補強管のねじ結合或いは地山補強管相互のねじ結合など、筒状連結部材と地山補強管のねじ結合が緩んで外れることを確実に防止し、地山補強の施工の確実性を高めることができる地山補強管の連結構造、カプラー及び地山補強管を提供することを目的とする。
【課題を解決するための手段】
【０００９】
本発明の地山補強管の連結構造は、地山補強管の少なくとも一方の端部に雄ねじ部が設けられ、前記地山補強管の長手方向の別の領域に形成される右ねじ部と左ねじ部とで前記雄ねじ部が構成され、筒状連結部材に前記雄ねじ部に螺合する雌ねじ部が設けられ、前記雌ねじ部が右ねじと左ねじを重ねて形成された重ねねじ部で構成されることを特徴とする。
この構成によれば、地山補強管に右回転方向の力が作用すると右ねじが締まり、左回転方向の力が作用すると左ねじが締まるので、筒状連結部材と地山補強管のねじ結合が次第に緩んでいってしまうことがなくなる。従って、筒状連結部材と地山補強管のねじ結合が緩んで外れることを確実に防止することができ、地山補強の施工の確実性を高めることができる。
【００１０】
本発明の地山補強管の連結構造は、前記雄ねじ部の右ねじ部と左ねじ部が不連続に形成され、前記雌ねじ部が、口元側に形成された重ねねじ部と、前記重ねねじ部の奥側に前記重ねねじ部と不連続に形成された右ねじ部、左ねじ部若しくは重ねねじ部とから構成されることを特徴とする。
この構成によれば、仮に回転によってねじ結合が緩み始めた場合にも、途中の不連続部分によってねじ山の係合状態が解除され、打撃や回転による振動だけでは反対向きのねじ山に係合して進行することができなくなる。従って、筒状連結部材と地山補強管のねじ結合が緩んで外れることをより一層確実に防止することができる。
【００１１】
本発明の地山補強管の連結構造は、前記筒状連結部材がカプラーであることを特徴とする。
この構成によれば、地山補強管とカプラーのねじ結合が緩み、地山補強管からカプラーが離脱することを防止できる。また、地山補強管の両端とも同じ雄ねじ部とすることが可能となるため、地山補強管を地山に打設する際に前後方向を間違えてセットすることを無くすことができる。
【００１２】
本発明の地山補強管の連結構造は、前記筒状連結部材が前記地山補強管（第１の地山補強管）と同一構成の別の地山補強管（第２の地山補強管）であることを特徴とする。
この構成によれば、第１の地山補強管と第２の地山補強管をカプラーを用いずに連結することが可能となり、部品点数を削減することができると共に、カプラーに対するねじ結合の作業を無くし、作業工程を効率化することができる。
【００１３】
本発明のカプラーは、地山補強管の端部に設けられ、長手方向の別の領域に形成される右ねじ部と左ねじ部とで構成される雄ねじ部に螺合されるカプラーであって、前記雄ねじ部に螺合される雌ねじ部が、右ねじと左ねじを重ねて形成された重ねねじ部で構成されていることを特徴とする。
この構成によれば、地山補強管に右回転方向の力が作用すると右ねじが締まり、左回転方向の力が作用すると左ねじが締まるので、カプラーと地山補強管のねじ結合が次第に緩んでいってしまうことがなくなる。従って、カプラーと地山補強管のねじ結合が緩んで外れることを確実に防止することができ、地山補強の施工の確実性を高めることができる。また、このカプラーを用いることで地山補強管の両端とも同じ雄ねじ部とすることが可能となるため、地山補強管を地山に打設する際に前後方向を間違えてセットすることを無くすことができる。
【００１４】
本発明の地山補強管は、両方の端部に、長手方向の別の領域に形成される右ねじ部と左ねじ部とで構成される雄ねじ部がそれぞれ設けられ、右ねじと左ねじを重ねて形成された重ねねじ部で構成されるカプラーの雌ねじ部に、一方の端部の前記雄ねじ部を螺合して連結されることを特徴とする。
この構成によれば、地山補強管に右回転方向の力が作用すると右ねじが締まり、左回転方向の力が作用すると左ねじが締まるので、カプラーと地山補強管のねじ結合が次第に緩んでいってしまうことがなくなる。従って、カプラーと地山補強管のねじ結合が緩んで外れることを確実に防止することができ、地山補強の施工の確実性を高めることができる。また、地山補強管の両端とも同じ雄ねじ部とすることが可能となるため、地山補強管を地山に打設する際に前後方向を間違えてセットすることを無くすことができる。
【００１５】
本発明の地山補強管は、一方の端部に、長手方向の別の領域に形成される右ねじ部と左ねじ部とで構成される雄ねじ部が設けられ、他方の端部に、右ねじと左ねじを重ねて形成された重ねねじ部で構成される雌ねじ部が設けられていることを特徴とする。
この構成によれば、地山補強管に右回転方向の力が作用すると右ねじが締まり、左回転方向の力が作用すると左ねじが締まるので、第１の地山補強管と第２の地山補強管のねじ結合が次第に緩んでいってしまうことがなくなる。従って、第１の地山補強管と第２の地山補強管のねじ結合が緩んで外れることを確実に防止することができ、地山補強の施工の確実性を高めることができる。また、カプラーを用いずに連結することが可能となり、部品点数を削減することができると共に、カプラーに対するねじ結合の作業を無くし、作業工程を効率化することができる。
【発明の効果】
【００１６】
本発明によれば、カプラーと地山補強管のねじ結合或いは地山補強管相互のねじ結合など、筒状連結部材と地山補強管のねじ結合が緩んで外れることを確実に防止し、地山補強の施工の確実性を高めることができる。
【図面の簡単な説明】
【００１７】
【図１】（ａ）は第１実施形態の地山補強管の連結構造における地山補強管とカプラーを示す正面図、（ｂ）はその地山補強管とカプラーの連結状態を示す正面図。
【図２】（ａ）〜（ｃ）は第１実施形態における地山補強管とカプラーの連結手順を示す説明図（カプラーは断面）。
【図３】（ａ）〜（ｃ）は第１実施形態における地山補強管とカプラーの連結手順を示す説明図（カプラーと第１の地山補強管は断面）。
【図４】第１実施形態の地山補強管の連結構造を用いて構築中のトンネルの切羽補強を行っている状態を示す縦断説明図。
【図５】第１実施形態の地山補強管の連結構造を用いて構築中のトンネルの切羽補強を行っている状態を示す一部横断説明図。
【図６】（ａ）〜（ｃ）は第２実施形態における地山補強管とカプラーの連結手順を示す説明図（カプラーは断面）。
【図７】（ａ）〜（ｃ）は第２実施形態における地山補強管とカプラーの連結手順を示す説明図（カプラーと第１の地山補強管は断面）。
【図８】（ａ）〜（ｃ）は第３実施形態における地山補強管とカプラーの連結手順を示す説明図（第２の地山補強管は断面）。
【図９】（ａ）〜（ｃ）は第３実施形態における地山補強管とカプラーの連結手順を示す断面説明図。
【図１０】削孔中の地山補強管と削孔ロッドと削孔ビットを示す模式図。
【発明を実施するための形態】
【００１８】
〔第１実施形態の地山補強管の連結構造〕
本発明による第１実施形態の地山補強管の連結構造は、図１〜図３に示すように、地山補強管１０ａ、１０ｂと筒状連結部材であるカプラー２０との連結構造である。第１の地山補強管１０ａと第２の地山補強管１０ｂは、それぞれ円筒状の本体１１を有し、本体１１の周壁には間隔を開けてグラウト材の吐出孔１２が形成されていると共に、両方の端部にはそれぞれに雄ねじ部１３が設けられている。
【００１９】
各々の雄ねじ部１３は、右ねじ部１３１と左ねじ部１３２とで構成され、雄ねじ部１３における右ねじ部１３１と左ねじ部１３２は地山補強管１０ａ、１０ｂの長手方向の別の領域に形成されている。本例の雄ねじ部１３では、地山補強管１０ａ或いは１０ｂの口元側に左ねじ部１３２が形成され、その奥側にねじ部が形成されていない非ねじ部１３３が設けられ、非ねじ部１３３の奥側に右ねじ部１３１が形成されており、左ねじ部１３２と右ねじ部１３１は不連続に形成されている。尚、雄ねじ部１３では、口元側に右ねじ部、奥側に左ねじ部を設ける構成とすることも可能である。
【００２０】
カプラー２０は、円筒状で内周面に雌ねじ部２１が設けられており、両方の端部からそれぞれ螺合可能に雌ねじ部２１・２１が設けられている。雌ねじ部２１は、右ねじと左ねじを重ねて形成された重ねねじ部２１１で構成され、重ねねじ部２１１は、地山補強管１０ａ或いは１０ｂの雄ねじ部１３と螺合可能になっている。
【００２１】
例えば地山に打設された第１の地山補強管１０ａの後端部の雄ねじ部１３にカプラー２０の雌ねじ部２１を螺合する際には、カプラー２０を左回転して重ねねじ部２１１の左ねじを雄ねじ部１３の左ねじ部１３２に螺入していき（図２（ａ）、図３（ａ）参照）、カプラー２０の重ねねじ部２１１が右ねじ部１３１まで達した時に、カプラー２０を右回転して重ねねじ部２１１の右ねじを雄ねじ部１３の右ねじ部１３１に螺入していく（図２（ｂ）、図３（ｂ）参照）。そして、雄ねじ部１３の略全体にカプラー２０の前寄りの雌ねじ部２１が螺合され、第１の地山補強管１０ａに筒状連結部材であるカプラー２０が連結される。
【００２２】
更に、この第１の地山補強管１０ａの後端部に連結されたカプラー２０に第２の地山補強管１０ｂの前端部の雄ねじ部１３を螺合する際には、第２の地山補強管１０ｂを左回転して前端部の雄ねじ部１３の左ねじ部１３２をカプラー２０の後寄りの雌ねじ部２１の重ねねじ部２１１に螺入していき（図２（ｃ）、図３（ｃ）参照）、第２の地山補強管１０ｂの右ねじ部１３１がカプラー２０まで達した時に、第２の地山補強管１０ｂを右回転して前端部の雄ねじ部１３の右ねじ部１３１をカプラー２０の重ねねじ部２１１に螺入していく。そして、カプラー２０の後寄りの雌ねじ部２１に第２の地山補強管１０ｂの雄ねじ部１３の略全体が螺合され、第２の地山補強管１０ｂが筒状連結部材であるカプラー２０に連結される。
【００２３】
第１実施形態の地山補強管１０（１０ａ、１０ｂ等）、カプラー２０を連結して構成される連結補強管５０は、例えば図４及び図５に示す先受け工６１や鏡補強工６２に用いられる。図４及び図５において、７１は地山、７２はトンネル空間、７３は掘進途中のトンネルの先端位置の切羽、７４は次の掘削領域、７５は次の切羽であり、トンネル空間７２内にはドリルジャンボ６３が配置されている。
【００２４】
先受け工６１は、切羽７３の前方上部の地山７１に長尺の連結補強管５０を配置してアーチ状に補強するものであり、例えば切羽７３の直近に既に立て込まれている支保工６４の前方位置で、切羽７３の天端部から前方上部の地山７１に向かって連結補強管５０よりも大径の下孔を所定の仰角で穿孔し、その下孔から二重管削孔方式により、地山７１に削孔を施すと同時に削孔内に地山補強管１０をカプラー２０で連結しながら順次打ち込んで長尺の連結補強管５０を打設する。
【００２５】
削孔の形成及び連結補強管５０の打設では、ドリルジャンボ６３のガイドセル６３１に地山補強管１０を配置すると共に、先端に削孔ビットが装着されている削孔ロッド６３２を地山補強管１０内に挿入し、削孔ロッド６３２の後端を削岩機６３３に連結する。更に、削孔ビットの外周にケーシングシューを設け、ケーシングシューに地山補強管１０の先端部を取り付ける（図１０参照）。
【００２６】
そして、削岩機６３３から削孔ロッド６３２を介して削孔ビットに回転力と打撃力を伝達し、牽引される地山補強管１０にカプラー２０、次の地山補強管１０の順で順次次ぎ足すように連結し、地山補強管１０をカプラー２０を介して連結した長尺の連結補強管５０を地山７１に打設して存置する。その後、存置した連結補強管５０内からグラウト材を注入し、連結補強管５０の周囲の地山７１に固結領域６５を形成する。
【００２７】
また、鏡補強工６２は、切羽７３の前方の地山７１を削孔して長尺の連結補強管５０を配置して補強するものであり、例えば切羽７３に施されている鏡面吹き付けコンクリート７６から、上記先受け工６１と同様の施工手順で、次の掘削領域７４に削孔を施して地山補強管１０をカプラー２０で継ぎ足した長尺の連結補強管５０を打設し、その連結補強管５０の周囲に固結領域６５を形成する。
【００２８】
第１実施形態の地山補強管の連結構造によれば、地山補強管１０ａ、１０ｂに右回転方向の力が作用すると右ねじが締まり、左回転方向の力が作用すると左ねじが締まるので、カプラー２０と地山補強管１０ａ、１０ｂのねじ結合が次第に緩んでいってしまうことがなくなり、又、地山補強管１０ａ、１０ｂからカプラー２０が離脱することを防止できる。従って、カプラー２０と地山補強管１０ａ、１０ｂのねじ結合が緩んで外れることを確実に防止することができ、地山補強の施工の確実性を高めることができる。
【００２９】
また、地山補強管１０ａ、１０ｂの両端とも同じ雄ねじ部１３、１３とすることが可能となるため、地山補強管１０ａ、１０ｂを地山に打設する際に前後方向を間違えてセットすることを無くすことができる。
【００３０】
〔第２実施形態の地山補強管の連結構造〕
本発明による第２実施形態の地山補強管の連結構造は、図６及び図７に示すように、第１実施形態と同一の地山補強管１０ａ、１０ｂと筒状連結部材であるカプラー３０との連結構造であり、第１の地山補強管１０ａと第２の地山補強管１０ｂを連結するカプラー３０が第１実施形態と異なる。
【００３１】
カプラー３０は、円筒状で内周面に雌ねじ部３１が設けられており、両方の端部からそれぞれ螺合可能に雌ねじ部３１・３１が設けられている。各雌ねじ部３１は、右ねじと左ねじを重ねて形成された重ねねじ部３１１と、ねじ山を有しない非ねじ部３１２と、左ねじ部３１３とから構成される。
【００３２】
重ねねじ部３１１はカプラー３０の口元側に形成され、重ねねじ部３１１より奥側に非ねじ部３１２が形成され、非ねじ部３１２より奥側に左ねじ部３１３が形成されており、重ねねじ部３１１と奥側の左ねじ部３１３は不連続で形成されている。この雌ねじ部３１は、地山補強管１０ａ或いは１０ｂの雄ねじ部１３と螺合可能であり、左ねじ部３１３が雄ねじ部１３の左ねじ部１３２、非ねじ部３１２が雄ねじ部１３の非ねじ部１３３、重ねねじ部３１１が雄ねじ部１３の右ねじ部１３１に略対応して螺合され、カプラー３０と地山補強管１０ａ或いは１０ｂが連結されるようになっている。
【００３３】
例えば地山に打設された第１の地山補強管１０ａの後端部の雄ねじ部１３にカプラー３０の雌ねじ部３１を螺合する際には、カプラー３０を左回転して重ねねじ部３１１の左ねじを雄ねじ部１３の左ねじ部１３２に螺入していき（図６（ａ）、図７（ａ）参照）、カプラー３０の重ねねじ部３１１が右ねじ部１３１まで達した時に、カプラー３０を右回転して重ねねじ部３１１の右ねじを雄ねじ部１３の右ねじ部１３１に螺入していく（図６（ｂ）、図７（ｂ）参照）。この時、カプラー３０の左ねじ部３１３は雄ねじ部１３の左ねじ部１３２と螺合された状態で左ねじ部１３２への螺入を進行する。そして、雄ねじ部１３の略全体にカプラー３０の前寄りの雌ねじ部３１が螺合され、第１の地山補強管１０ａに筒状連結部材であるカプラー３０が連結される。
【００３４】
更に、この第１の地山補強管１０ａの後端部に連結されたカプラー３０に第２の地山補強管１０ｂの前端部の雄ねじ部１３を螺合する際には、第２の地山補強管１０ｂを左回転して前端部の雄ねじ部１３の左ねじ部１３２をカプラー３０の後寄りの雌ねじ部３１の重ねねじ部３１１に螺入していく（図６（ｃ）、図７（ｃ）参照）。その後、第２の地山補強管１０ｂの右ねじ部１３１がカプラー３０まで達した時に、第２の地山補強管１０ｂを右回転して前端部の雄ねじ部１３の右ねじ部１３１をカプラー３０の重ねねじ部３１１に螺入していく。この時、第２の地山補強管１０ｂの左ねじ部１３２はカプラー３０の左ねじ部３１３と螺合された状態で左ねじ部３１３への螺入を進行する。そして、カプラー３０の後寄りの雌ねじ部３１に第２の地山補強管１０ｂの雄ねじ部１３の略全体が螺合され、第２の地山補強管１０ｂが筒状連結部材であるカプラー３０に連結される。
【００３５】
尚、カプラー３０の雌ねじ部３１において、非ねじ部３１２より奥側の設けるねじ部を右ねじと左ねじが重ねられる重ねねじ部とする構成や、非ねじ部３１２より奥側に設けるねじ部を地山補強管１０の雄ねじ部１３において口元側に右ねじ部が設けられる場合に右ねじ部とする構成とすることが可能である。
【００３６】
第２実施形態の地山補強管１０（１０ａ、１０ｂ等）、カプラー３０を連結して構成される連結補強管も、例えば上述の先受け工６１や鏡補強工６２に用いられ、上記連結補強管５０と同様にして地山７１に打設される。
【００３７】
第２実施形態の地山補強管の連結構造によれば、第１実施形態と対応する構成から対応する効果が得られる。更に、地山補強管１０ａ、１０ｂとカプラー３０とのねじ結合が仮に回転によって緩み始めた場合にも、途中の不連続部分によってねじ山の係合状態が解除され、打撃や回転による振動だけでは反対向きのねじ山に係合して進行することができなくなる。従って、カプラー３０と地山補強管１０ａ、１０ｂのねじ結合が緩んで外れることをより一層確実に防止することができる。
【００３８】
〔第３実施形態の地山補強管の連結構造〕
本発明による第３実施形態の地山補強管の連結構造は、図８及び図９に示すように、同一構成である第１の地山補強管４０と第２の地山補強管４０とを、カプラーを用いずに直接連結する連結構造である。地山補強管４０は、円筒状の本体４１を有し、本体４１の周壁には間隔を開けてグラウト材の吐出孔（図示省略）が形成されていると共に、一方の端部には雄ねじ部４２が設けられ、他方の端部には雌ねじ部４３が設けられている。
【００３９】
雄ねじ部４２は、第１、第２実施形態の雄ねじ部１３と同一構成であり、右ねじ部４２１と左ねじ部４２２とで構成され、雄ねじ部４２における右ねじ部４２１と左ねじ部４２２は地山補強管４０の長手方向の別の領域に形成されている。本例の雄ねじ部４２では、地山補強管４０の一方の端部の口元側に左ねじ部４２２が形成され、その奥側にねじ部が形成されていない非ねじ部４２３が設けられ、非ねじ部４２３の奥側に右ねじ部４２１が形成されており、左ねじ部４２２と右ねじ部４２１は不連続で形成されている。
【００４０】
雌ねじ部４３は、右ねじと左ねじを重ねて形成された重ねねじ部４３１と、ねじ山を有しない非ねじ部４３２と、左ねじ部４３３とから構成される。重ねねじ部４３１は地山補強管４０の他方の端部の口元側に形成され、重ねねじ部４３１より奥側に非ねじ部４３２が形成され、非ねじ部４３２より奥側に左ねじ部４３３が形成されており、重ねねじ部４３１と左ねじ部４３３は不連続で形成されている。
【００４１】
第１の地山補強管４０の雄ねじ部４２と第２の地山補強管４０の雌ねじ部４３は螺合可能になっており、雄ねじ部４２の左ねじ部４２２が雌ねじ部４３の左ねじ部４３３、非ねじ部４２３が非ねじ部４３２、雄ねじ部４２の右ねじ部４２１が雌ねじ部４３の重ねねじ部４３１に略対応して螺合され、第１の地山補強管４０と第２の地山補強管４０とが連結されるようになっている。
【００４２】
例えば地山に打設された第１の地山補強管４０の後端部の雄ねじ部４２に第２の地山補強管４０の前端部の雌ねじ部４３を螺合する際には、第２の地山補強管４０を左回転して重ねねじ部４３１を第１の地山補強管４０の左ねじ部４２２に螺入していき（図８（ａ）、図９（ａ）参照）、第２の地山補強管４０の重ねねじ部４３１が第１の地山補強管４０の右ねじ部４２１まで達した時に、第２の地山補強管４０を右回転して重ねねじ部４３１の右ねじを雄ねじ部４２の右ねじ部４２１に螺入していく（図８（ｂ）、図９（ｂ）参照）。
【００４３】
この時、第２の地山補強管４０の雌ねじ部４３の左ねじ部４３３は、第１の地山補強管４０の雄ねじ部４２の左ねじ部４２２と螺合された状態で左ねじ部４２２への螺入を進行する。そして、第１の地山補強管４０の雄ねじ部４２に第２の地山補強管４０の雌ねじ部４３が螺合され、第１の地山補強管４０に筒状連結部材である第２の地山補強管４０が連結される（図８（ｃ）、図９（ｃ）参照）。
【００４４】
尚、第２の地山補強管４０の雌ねじ部４３において、非ねじ部４３２より奥側の設けるねじ部を右ねじと左ねじが重ねられる重ねねじ部とする構成や、非ねじ部４３２より奥側に設けるねじ部を第１の地山補強管４０の雄ねじ部４２において口元側に右ねじ部が設けられる場合に右ねじ部とする構成とすることが可能である。
【００４５】
第３実施形態の地山補強管４０を相互に連結して構成される連結補強管も、例えば上述の先受け工６１や鏡補強工６２に用いられ、上記連結補強管５０と同様にして地山７１に打設される。
【００４６】
第３実施形態の地山補強管の連結構造によれば、第１、第２実施形態と対応する構成から対応する効果が得られる。更に、地山補強管４０・４０のねじ結合が仮に回転によって緩み始めた場合にも、途中の不連続部分によってねじ山の係合状態が解除され、打撃や回転による振動だけでは反対向きのねじ山に係合して進行することができなくなり、地山補強管４０・４０のねじ結合が緩んで外れることをより一層確実に防止することができる。更に、第１の地山補強管４０と、同一構成の別の地山補強管である第２の地山補強管４０をカプラーを用いずに連結することが可能となり、部品点数を削減することができると共に、カプラーに対するねじ結合の作業を無くし、作業工程を効率化することができる。
【００４７】
〔実施形態の変形例等〕
本明細書開示の発明は、各発明、各実施形態の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものであり、下記変形例も包含する。
【００４８】
例えば第１〜第３実施形態では地山補強管１０、４０の雄ねじ部１３、４２において、右ねじ部１３１、４２１と左ねじ部１３２、４２２との間に所定長さの非ねじ部１３３、４２３を設けたが、非ねじ部１３３、４２３を設けない構成とすることも可能である。同様に、カプラー３０の非ねじ部３１２を設けない構成、或いは地山補強管４０の雌ねじ部４３の非ねじ部４３２を設けない構成とすることも可能であり、これらを適宜組み合わせた構成とすることが可能である。
【産業上の利用可能性】
【００４９】
本発明は、例えば先受け工や鏡補強工等で二重管削孔方式で補強すべき地山に地山補強管を継ぎ足すように連結して打設する際に利用することができる。
【符号の説明】
【００５０】
１ａ、１ｂ、１ｃ…地山補強管  ２…ケーシングシュー  ３…削孔ビット  ４ａ、４ｂ、４ｃ…削孔ロッド  ５…カプラー  １０、１０ａ、１０ｂ…地山補強管  １１…本体  １２…吐出孔  １３…雄ねじ部  １３１…右ねじ部  １３２…左ねじ部  １３３…非ねじ部  ２０…カプラー  ２１…雌ねじ部  ２１１…重ねねじ部  ３０…カプラー  ３１…雌ねじ部  ３１１…重ねねじ部  ３１２…非ねじ部  ３１３…左ねじ部  ４０…地山補強管  ４１…本体  ４２…雄ねじ部  ４２１…右ねじ部  ４２２…左ねじ部  ４２３…非ねじ部  ４３…雌ねじ部  ４３１…重ねねじ部  ４３２…非ねじ部  ４３３…左ねじ部  ５０…連結補強管  ６１…先受け工  ６２…鏡補強工  ６３…ドリルジャンボ  ６３１…ガイドセル  ６３２…削孔ロッド  ６３３…削岩機  ６４…支保工  ６５…固結領域  ７１…地山  ７２…トンネル空間  ７３…切羽  ７４…次の掘削領域  ７５…次の切羽  ７６…鏡面吹き付けコンクリート  Ｐ…打撃力  Ｒ…回転力
【図１】
2014163089.tif 000003
【図２】
2014163089.tif 000004
【図３】
2014163089.tif 000005
【図４】
2014163089.tif 000006
【図５】
2014163089.tif 000007
【図６】
2014163089.tif 000008
【図７】
2014163089.tif 000009
【図８】
2014163089.tif 000010
【図９】
2014163089.tif 000011
【図１０】
2014163089.tif 000012